(57)【要約】【課題】　移動通信網を基盤として別途の網を構築するための費用が省かれ、短文メッセージサービス（ＳＭＳ）を利用して遠隔装置間にメッセージを伝達することで、システムを開発しそれを維持するための時間及び費用を節約し得る移動通信基盤の無線遠隔検針システム及びその方法を提供しようとする。【解決手段】　各需要家の計量情報を無線送出する検針システム２００と、移動通信網を通して、各需要家の計量情報を収集及び処理し、各需要家の前記検針システム２００を制御する遠隔制御システム３００とを包含して移動通信基盤の無線遠隔検針システムを構成する。【選択図】　図１
2004040812.tif 000002
【特許請求の範囲】
【請求項１】
　需要家の計量情報を無線に伝送する検針システムと、
　移動通信網を通して、各需要家の計量情報を収集して処理し、各需要家の前記検針システムを制御する遠隔制御システムと、
　を包含して構成されることを特徴とする移動通信基盤の無線遠隔検針システム。
【請求項２】
　前記計量情報は、
　移動通信システムのＳＭＳ（Ｓｈｏｒｔ　Ｍｅｓｓａｇｅ　Ｓｅｒｖｉｃｅ）を利用して前記遠隔制御システムに受信されることを特徴とする請求項１に記載の移動通信基盤の無線遠隔検針システム。
【請求項３】
　前記移動通信網は、
　ＣＤＭＡ（Ｃｏｄｅ　Ｄｉｖｉｓｉｏｎ　Ｍｕｌｔｉｐｌｅ　Ａｃｃｅｓｓ）システムを基盤とすることを特徴とする請求項１に記載の移動通信基盤の無線遠隔検針システム。
【請求項４】
　前記検針システムは、
　電気、水道及びガス計量器等の複数の計量器により構成された検針部と、
　前記各計量器の使用量（ｍｅｔｅｒａｇｅ）をデジタル信号に変換するＡ／Ｄコンバータ部と、
　該Ａ／Ｄコンバータ部の出力信号中、特定信号を選択的に出力するマルチプレクサと、
　該マルチプレクサを制御するコントローラと、
　前記マルチプレクサの出力信号が載せられた短文メッセージを生成するＳＭＳプロセッサと、
　移動通信網を通して前記メッセージを伝送するか、又は前記遠隔制御システムのメッセージを受信して、前記ＳＭＳプロセッサに伝送する通信モジュールと、
　を包含して構成されることを特徴とする請求項１に記載の移動通信基盤の無線遠隔検針システム。
【請求項５】
　前記ＳＭＳプロセッサは、前記遠隔制御システムからメッセージが受信されると、該受信されたメッセージをデコードし、該デコードされたデータから所定識別情報をメモリに格納することを特徴とする請求項４に記載の移動通信基盤の無線遠隔検針システム。
【請求項６】
　前記コントローラは、
　前記デコードされたデータを参照して、前記マルチプレクサを制御することを特徴とする請求項５に記載の移動通信基盤の無線遠隔検針システム。
【請求項７】
　前記ＳＭＳプロセッサは、前記遠隔制御システムのメッセージにエネルギー供給を遮断する指示が包含されていると、該指示に従って前記検針部を制御することを特徴とする請求項４に記載の移動通信基盤の無線遠隔検針システム。
【請求項８】
　前記メッセージは、
　該当する需要家の識別番号と、
　検針が行われた計量器の識別子と、
　該当する計量器の使用量と、
　検針日付及び時間情報と、
　該当する計量器の故障及びエネルギーの漏出情報と、
　を包含することを特徴とする請求項４に記載の移動通信基盤の無線遠隔検針システム。
【請求項９】
　前記遠隔制御システムは、
　各需要家の前記検針システムとメッセージを無線に送受信する通信モジュールと、
　前記受信されたメッセージから需要家の計量情報を抽出するＳＭＳデコーダと、
　前記抽出された計量情報を管理し、前記検針システムを制御するための各種制御信号を生成するＣＰＵ（Ｃｅｎｔｒａｌ　Ｐｒｏｃｅｓｓｏｒ　Ｕｎｉｔ）と、
　前記制御信号が載せられた短文メッセージを生成し、これを前記通信モジュールに出力するＳＭＳエンコーダと、
　を包含して構成されることを特徴とする請求項１に記載の移動通信基盤の無線遠隔検針システム。
【請求項１０】
　前記メッセージは、
　該当する需要家の識別番号と、
　検針が行われる計量器の識別子と、
　計量器の検針時間情報と、　
　該当する需要家に供給されるエネルギーを遮断しようとするとき使用される供給調節装置制御情報と、
　を包含することを特徴とする請求項９に記載の移動通信基盤の無線遠隔検針システム。
【請求項１１】
　需要家の計量器を検針し、該検針された計量情報を該当するエネルギー供給事業者の遠隔制御システムに無線に伝送する過程と、
　移動通信網を通して前記計量情報を受信及び処理する過程と、
　使用者ターミナルによる要求や内部プログラムの各種制御信号に応じて、前記各需要家の計量器を遠隔制御する過程と、
　を順次行うことを特徴とする移動通信基盤の無線遠隔検針方法。
【請求項１２】
　前記計量情報は、
　移動通信システムのＳＭＳを利用して前記遠隔制御システムに受信されることを特徴とする請求項１１に記載の移動通信基盤の無線遠隔検針方法。
【請求項１３】
　前記移動通信網は、
　ＣＤＭＡシステムを基盤とすることを特徴とする請求項１１に記載の移動通信基盤の無線遠隔検針方法。
【請求項１４】
　前記計量情報を無線に伝送する過程は、
　前記計量器の使用量を検出し、該検出された情報をデジタル化する過程と、
　短文メッセージを生成し、前記情報を前記メッセージに載せる過程と、
　前記メッセージをＲＦ伝送に適合した信号に加工して、前記遠隔制御システムに伝送する過程と、
　を順次行うことを特徴とする請求項１１に記載の移動通信基盤の無線遠隔検針方法。
【請求項１５】
　前記メッセージは、
　該当する需要家の識別番号と、
　検針が行われた計量器の識別子と、
　該当する計量器の使用量と、
　検針日付及び時間情報と、
　該当する計量器の故障及びエネルギーの漏出情報と、
　を包含することを特徴とする請求項１４に記載の移動通信基盤の無線遠隔検針方法。
【請求項１６】
　前記計量器を遠隔制御する過程は、
　使用者ターミナルによる要求や内部プログラムの各種制御信号を収集する過程と、
　短文メッセージを生成し、前記収集された制御信号を前記メッセージに載せる過程と、
　前記メッセージをＲＦ伝送に適合した信号に加工して、前記遠隔制御システムに伝送する過程と、
　を順次行うことを特徴とする請求項１１に記載の移動通信基盤の無線遠隔検針方法。
【請求項１７】
　前記メッセージは、
　該当する需要家の識別番号と、
　検針が行われる計量器の識別子と、
　計量器の検針時間情報と、　
　該当する需要家に供給されるエネルギーを遮断しようとするとき使用される供給調節装置制御情報と、
　を包含することを特徴とする請求項１６に記載の移動通信基盤の無線遠隔検針方法。
【発明の詳細な説明】
【技術分野】
【０００１】
　本発明は遠隔制御システムに係るもので、詳しくは、移動通信網を利用した無線遠隔制御システムに関するものである。
【背景技術】
【０００２】
　従来、電気（又は、ガス、水道等）計量器を検針する方法においては、電気供給事業者の検針員が各需要家を直接訪問して計量器に表示されている使用量（ｍｅｔｅｒａｇｅ）を記録し、これを再び電算化するという二重業務が要求されていた。且つ、計量情報を記録する過程、又は記録された情報を電算化する過程ではエラーが発生するという問題があった。
【０００３】
　このような問題を改善するため、（１）検針員による手動検針方法の代わりに、有線網を通して計量器の使用量を自動にアップロードする方法が提案されたが、このような有線網を利用する方法においては、全国的に各家庭に専用線及びケーブル網を設置しなければならないため、多くの時間及び費用が要求されるという欠点があった。
【０００４】
　このような欠点を改善するため、（２）携帯用計量情報収集端末機を利用する無線検針方法が提案されたが、このような無線検針方法においては、検針員が各需要家の電気計量器をいちいち検針し、それら検針された情報（又は、データ）を前記計量情報収集端末機に格納し、それら検針作業が完了すると、前記計量情報収集端末機をエネルギー（電気、ガス、又は水道等）供給事業者の電算網に連結することで、前記収集された計量情報を中央運営サーバーに伝送していた。
【０００５】
　従来、需要家の計量器を検針および制御するための無線検針システムが知られている（例えば、特許文献１参照）。
即ち、図６は従来の無線検針システムの構成を示したブロック図で、図示されたように、従来の無線検針システムにおいては、需要家の計量情報を無線送出する検針システム１００と、検針員が携帯する装置として、前記検針システム１００の送出情報を記録する計量情報収集端末機１４０とを包含して構成されていた。
【０００６】
　且つ、前記検針システム１００は、電気計量器、水道計量器及びガス計量器等の各種計量器の使用量をデジタル信号に変換する検針回路部１１０と、前記デジタル化（ｄｉｇｉｔａｌｉｚｅｄ）された計量情報を利用可能なデータに加工する検針処理部１２０と、前記データをＲＦ（Ｒａｄｉｏ　Ｆｒｅｑｕｅｎｃｙ）伝送し得るように加工して伝送する通信モジュール１３０とから構成されていた。
【０００７】
　以下、このように構成された従来の無線検針方法について説明する。
【０００８】
　先ず、前記検針回路部１１０は、該当需要家のエネルギー（電気、ガス、又は水道等）の使用量を検針してデジタル信号に変換する。次いで、前記検針処理部１２０は、該当需要家のＩＤ、使用量及び検針時間等の情報を利用可能なデータに加工する。その後、前記通信モジュール１３０は、前記加工されたデータを無線伝送に適合するように変換し、該変換された信号を伝送する。
【０００９】
　担当地域の需要家を訪問した検針員は、前記計量情報収集端末機１４０を利用するか、又は前記検針システム１００を操作することで、前記検針システム１００の検出情報を携帯中の前記計量情報収集端末機１４０に受信し、これを格納する。
【００１０】
　検針員は、担当地域内の需要家に対する検針作業が完了すると、前記計量情報収集端末機１４０をエネルギー（電気、ガス、又は水道等）供給事業者の電算網に連結して、前記収集された計量情報を中央運営サーバー１５０に伝送する。
【特許文献１】韓国特許出願第１０−１９９８−００２５０８５号明細書
【発明の開示】
【発明が解決しようとする課題】
【００１１】
　従来の検針システム及びその方法においては、前記（１）項に記載の場合、有線網の設置及び維持に多くの費用が必要となり、前記（２）項に記載の場合、計量情報を収集するため、検針員が直接該当需要家を訪問しなければならないという不都合な点があった。
【００１２】
　本発明は、このような従来の課題に鑑みてなされたもので、本発明の目的は、移動通信システムの短文メッセージサービス（Ｓｈｏｒｔ　Ｍｅｓｓａｇｅ　Ｓｅｒｖｉｃｅ；以下ＳＭＳと略称す）を利用して需要家の計量器を検針及び制御する移動通信基盤の無線遠隔検針システム及びその方法を提供することにある。
【課題を解決するための手段】
【００１３】
　このような目的を達成するため、本発明に係る移動通信基盤の無線遠隔検針システムにおいては、需要家の計量情報を無線送出する検針システムと、移動通信網を通して、各需要家の計量情報を収集及び処理し、各需要家の前記検針システムを制御する遠隔制御システムとを包含して構成されることを特徴とする。
【００１４】
　且つ、前記計量情報は、移動通信システムのＳＭＳ（Ｓｈｏｒｔ　Ｍｅｓｓａｇｅ　Ｓｅｒｖｉｃｅ）を利用して前記遠隔制御システムに受信されることを特徴とする。
【００１５】
　又、前記移動通信網は、ＣＤＭＡ（Ｃｏｄｅ　Ｄｉｖｉｓｉｏｎ　Ｍｕｌｔｉｐｌｅ　Ａｃｃｅｓｓ）システムを基盤とすることを特徴とする。
【００１６】
　又、前記検針システムは、電気、水道及びガス計量器等の複数の計量器により構成された検針部と、前記各計量器の使用量をデジタル信号に変換するＡ／Ｄコンバータ部と、該Ａ／Ｄコンバータ部の出力信号中、特定信号を選択的に出力するマルチプレクサと、該マルチプレクサを制御するコントローラと、前記マルチプレクサの出力信号が載せられた短文メッセージを生成するＳＭＳプロセッサと、移動通信網を通して前記メッセージを伝送するか、又は前記遠隔制御システムのメッセージを受信して、前記ＳＭＳプロセッサに伝送する通信モジュールとを包含して構成されることを特徴とする。
【００１７】
　又、前記遠隔制御システムは、各需要家の前記検針システムとメッセージを無線で送受信する通信モジュールと、前記受信されたメッセージから需要家の計量情報を抽出するＳＭＳデコーダと、前記抽出された計量情報を管理し、前記検針システムを制御するための各種制御信号を生成するＣＰＵ（Ｃｅｎｔｒａｌ　Ｐｒｏｃｅｓｓｏｒ　Ｕｎｉｔ）と、前記制御信号が載せられた短文メッセージを生成し、これを前記通信モジュールに出力するＳＭＳエンコーダとを包含して構成されることを特徴とする。
【００１８】
　又、このような目的を達成するため、本発明に係る移動通信基盤の無線遠隔検針方法においては、需要家の計量器を検針し、該検針された計量情報を該当エネルギー供給事業者の遠隔制御システムに無線送出する過程と、移動通信網を通して前記計量情報を受信及び処理する過程と、使用者ターミナルによる要求や内部プログラムの各種制御信号に応じて、前記需要家の計量器を遠隔制御する過程とを順次行うことを特徴とする。
【００１９】
　又、前記計量情報を無線送出する過程は、前記計量器の使用量を検出し、該検出された情報をデジタル化する過程と、短文メッセージを生成し、前記情報を前記メッセージに載せる過程と、前記メッセージをＲＦ伝送に適合した信号に加工して、前記遠隔制御システムに送出する過程とを順次行うことを特徴とする。
【００２０】
　又、前記計量器を遠隔制御する過程は、使用者ターミナルによる要求や内部プログラムの各種制御信号を収集する過程と、短文メッセージを生成し、前記収集された制御信号を前記メッセージに載せる過程と、前記メッセージをＲＦ伝送に適合した信号に加工して、前記遠隔制御システムに送出する過程とを順次行うことを特徴とする。
【００２１】
　上記目的を達成するため、本発明の移動通信基盤の無線遠隔検針システムは、需要家の計量情報を無線に伝送する検針システムと、移動通信網を通して、各需要家の計量情報を収集して処理し、各需要家の前記検針システムを制御する遠隔制御システムと、を包含して構成されることを特徴とする。
【００２２】
　上記本発明の移動通信基盤の無線遠隔検針システムにおいて、前記計量情報は、移動通信システムのＳＭＳ（Ｓｈｏｒｔ　Ｍｅｓｓａｇｅ　Ｓｅｒｖｉｃｅ）を利用して前記遠隔制御システムに受信されることが好ましい。
【００２３】
　上記本発明の移動通信基盤の無線遠隔検針システムにおいて、前記移動通信網は、ＣＤＭＡ（Ｃｏｄｅ　Ｄｉｖｉｓｉｏｎ　Ｍｕｌｔｉｐｌｅ　Ａｃｃｅｓｓ）システムを基盤とすることが好ましい。
【００２４】
　上記本発明の移動通信基盤の無線遠隔検針システムにおいて、前記検針システムは、電気、水道及びガス計量器等の複数の計量器により構成された検針部と、前記各計量器の使用量（ｍｅｔｅｒａｇｅ）をデジタル信号に変換するＡ／Ｄコンバータ部と、該Ａ／Ｄコンバータ部の出力信号中、特定信号を選択的に出力するマルチプレクサと、該マルチプレクサを制御するコントローラと、前記マルチプレクサの出力信号が載せられた短文メッセージを生成するＳＭＳプロセッサと、移動通信網を通して前記メッセージを伝送するか、又は前記遠隔制御システムのメッセージを受信して、前記ＳＭＳプロセッサに伝送する通信モジュールと、を包含して構成されることが好ましい。
【００２５】
　上記本発明の移動通信基盤の無線遠隔検針システムにおいて、前記ＳＭＳプロセッサは、前記遠隔制御システムからメッセージが受信されると、該受信されたメッセージをデコードし、該デコードされたデータから所定識別情報をメモリに格納することが好ましい。
【００２６】
　上記本発明の移動通信基盤の無線遠隔検針システムにおいて、前記コントローラは、前記デコードされたデータを参照して、前記マルチプレクサを制御することが好ましい。
【００２７】
　上記本発明の移動通信基盤の無線遠隔検針システムにおいて、前記ＳＭＳプロセッサは、前記遠隔制御システムのメッセージにエネルギー供給を遮断する指示が包含されていると、該指示に従って前記検針部を制御することが好ましい。
【００２８】
　上記本発明の移動通信基盤の無線遠隔検針システムにおいて、前記メッセージは、該当する需要家の識別番号と、検針が行われた計量器の識別子と、該当する計量器の使用量と、検針日付及び時間情報と、該当する計量器の故障及びエネルギーの漏出情報と、を包含することが好ましい。
【００２９】
　上記本発明の移動通信基盤の無線遠隔検針システムにおいて、前記遠隔制御システムは、各需要家の前記検針システムとメッセージを無線に送受信する通信モジュールと、前記受信されたメッセージから需要家の計量情報を抽出するＳＭＳデコーダと、前記抽出された計量情報を管理し、前記検針システムを制御するための各種制御信号を生成するＣＰＵ（Ｃｅｎｔｒａｌ　Ｐｒｏｃｅｓｓｏｒ　Ｕｎｉｔ）と、前記制御信号が載せられた短文メッセージを生成し、これを前記通信モジュールに出力するＳＭＳエンコーダと、を包含して構成されることが好ましい。
【００３０】
　上記本発明の移動通信基盤の無線遠隔検針システムにおいて、前記メッセージは、該当する需要家の識別番号と、検針が行われる計量器の識別子と、計量器の検針時間情報と、該当する需要家に供給されるエネルギーを遮断しようとするとき使用される供給調節装置制御情報と、を包含することが好ましい。
【００３１】
　また、本発明の移動通信基盤の無線遠隔検針方法は、需要家の計量器を検針し、該検針された計量情報を該当するエネルギー供給事業者の遠隔制御システムに無線に伝送する過程と、移動通信網を通して前記計量情報を受信及び処理する過程と、使用者ターミナルによる要求や内部プログラムの各種制御信号に応じて、前記各需要家の計量器を遠隔制御する過程と、を順次行うことを特徴とする。
【００３２】
　上記本発明の移動通信基盤の無線遠隔検針方法において、前記計量情報は、移動通信システムのＳＭＳを利用して前記遠隔制御システムに受信されることが好ましい。
【００３３】
　上記本発明の移動通信基盤の無線遠隔検針方法において、前記移動通信網は、ＣＤＭＡシステムを基盤とすることが好ましい。
【００３４】
　上記本発明の移動通信基盤の無線遠隔検針方法において、前記計量情報を無線に伝送する過程は、前記計量器の使用量を検出し、該検出された情報をデジタル化する過程と、短文メッセージを生成し、前記情報を前記メッセージに載せる過程と、前記メッセージをＲＦ伝送に適合した信号に加工して、前記遠隔制御システムに伝送する過程と、を順次行うことが好ましい。
【００３５】
　上記本発明の移動通信基盤の無線遠隔検針方法において、前記メッセージは、該当する需要家の識別番号と、検針が行われた計量器の識別子と、該当する計量器の使用量と、検針日付及び時間情報と、該当する計量器の故障及びエネルギーの漏出情報と、を包含することが好ましい。
【００３６】
　上記本発明の移動通信基盤の無線遠隔検針方法において、前記計量器を遠隔制御する過程は、使用者ターミナルによる要求や内部プログラムの各種制御信号を収集する過程と、短文メッセージを生成し、前記収集された制御信号を前記メッセージに載せる過程と、前記メッセージをＲＦ伝送に適合した信号に加工して、前記遠隔制御システムに伝送する過程と、を順次行うことが好ましい。
【００３７】
　上記本発明の移動通信基盤の無線遠隔検針方法において、前記メッセージは、該当する需要家の識別番号と、検針が行われる計量器の識別子と、計量器の検針時間情報と、該当する需要家に供給されるエネルギーを遮断しようとするとき使用される供給調節装置制御情報と、を包含することが好ましい。
【発明の効果】
【００３８】
　本発明に係る無線遠隔検針システムにおいては、移動通信網を基盤とするため、別途の網を構築するための費用が省かれ、且つＳＭＳを利用して遠隔装置間にメッセージを伝達することで、システムの開発及びそれを維持するための時間及び費用を大きく節約し得るという効果がある。
【００３９】
　又、検針員による従来の検針方法とは異なって、検針時間を自由に決めることができるため、検針作業及び課金処理をより迅速、且つ正確に遂行し得るという効果がある。
【発明を実施するための最良の形態】
【００４０】
　以下、本発明の実施の形態に対し、図面に基づいて説明する。
【００４１】
　図１は本発明に係る検針システムの構成を示したブロック図、図２は本発明に係る遠隔制御システムの構成を示したブロック図で、図示されたように、本発明に係る無線遠隔検針システムにおいては、需要家の計量情報を無線送出する検針システム２００と、移動通信網を通して、各需要家の計量情報を収集及び処理することで各需要家の前記検針システム２００を制御する遠隔制御システム３００とを包含して構成されている。
【００４２】
　且つ、前記検針システム２００は、各該当する需要家の各種エネルギー（電気、ガス、又は水道等）の使用量（ｍｅｔｅｒａｇｅ）を夫々検針する各種計量器により構成された検針部２１０と、それら検針された使用量をデジタル信号に夫々変換する各Ａ／Ｄコンバータ部２２０と、それらＡ／Ｄコンバータ部２２０が出力した使用量中、特定計量器の使用量を選択的に出力するマルチプレクサ２３０と、前記遠隔制御システム３００から受信されたメッセージを格納する第３メモリ２９０と、該第３メモリ２９０に格納された制御データを参照して、前記マルチプレクサ２３０を制御するコントローラ２４０と、前記マルチプレクサ２３０の出力データを格納する第２メモリ２６０と、前記遠隔制御システム３００が需要家及び計量器に割当てる所定識別情報を格納する第１メモリ２５０と、短文メッセージを生成し、該生成された短文メッセージにそれら第１及び第２メモリ２５０、２６０のデータを載せる（ｌｏａｄｉｎｇ）ＳＭＳプロセッサ２７０と、移動通信網を通して、前記メッセージを伝送するか、又は前記遠隔制御システムのメッセージを受信して、前記ＳＭＳプロセッサ２７０に伝送する通信モジュール２８０とを包含して構成されている。
【００４３】
　且つ、前記遠隔制御システム３００は、各需要家に設置された検針システムとメッセージを無線で送受信する通信モジュール３１０と、前記受信されたメッセージから需要家の計量情報を抽出するＳＭＳデコーダ３２０と、前記抽出された計量情報を処理して検針データベース３６０に格納し、前記検針システム２００を制御するための各種制御信号を生成するＣＰＵ（Ｃｅｎｔｒａｌ　Ｐｒｏｃｅｓｓｏｒ　Ｕｎｉｔ）３４０と、前記制御信号を生成するようにＣＰＵ３４０に指示するか、又は前記検針データベース３６０に格納された情報を処理する使用者ターミナル３５０と、前記ＣＰＵ３４０の制御信号が載せられた短文メッセージを生成し、これを前記通信モジュール３１０に出力するＳＭＳエンコーダ３７０とを包含して構成されている。
【００４４】
　以下、このように構成された本発明に係る遠隔制御システム３００及び検針システム２００の動作に対し、図１〜図３を参照して説明する。
【００４５】
　図３は本発明に係る無線遠隔検針方法の一実施形態を示したフローチャートで、図示されたように、前記検針部２１０で検針された複数の計量器の使用量は、Ａ／Ｄコンバータ部２２０によりデジタル信号に変換される（Ｓ１、Ｓ２）。その後、前記マルチプレクサ２３０は、前記コントローラ２４０の制御に応じて、前記Ａ／Ｄコンバータ部２２０の出力データ中のいずれか一つを選択する。即ち、前記コントローラ２４０は、前記遠隔制御システム３００から受信された情報を参照して、計量器の検針時間や使用量を記録する計量器を決定し、前記マルチプレクサ２３０を制御することで該マルチプレクサ２３０は、前記コントローラ２４０の制御に応じて、該当する計量器の使用量を選択し、これを前記第２メモリ２６０に格納する。
【００４６】
　その後、前記第１メモリ２５０は、前記遠隔制御システム３００から受信された情報及び加入者識別情報（需要家の番号、計量器のＩＤ等）のように頻繁に変更されないデータを格納し、前記ＳＭＳプロセッサ２７０は、それら第１及び第２メモリ２５０、２６０に格納された情報を短文メッセージにエンコードする（Ｓ３）。
【００４７】
　次いで、前記ＳＭＳプロセッサ２７０は、それら第１及び第２メモリ２５０、２６０に格納された情報を、ＳＭＳプロトコルで定義するメッセージの構造及び形式によって構成した後、これを前記通信モジュール２８０に伝送する。その後、前記通信モジュール２８０は、前記ＳＭＳプロセッサ２７０から出力されたメッセージをＲＦ伝送し得るように加工して、移動通信網を通して前記遠隔制御システム３００に伝送する（Ｓ４）。
【００４８】
　次いで、前記遠隔制御システム３００の前記通信モジュール３１０は、前記検針システム２００からメッセージ（ＲＦ信号）が受信されると、これをデジタル回路端で処理し得る信号に変換して前記ＳＭＳデコーダ３２０に伝送する。
【００４９】
　次いで、前記ＳＭＳデコーダ３２０は、前記通信モジュール３１０を通して受信された短文メッセージをデコードし、該デコードされたデータから計量情報として活用し得る所定データ（図４（ｃ）参照）を抽出し、該抽出されたデータを前記ＣＰＵ３４０に伝送する。
【００５０】
　その後、前記ＣＰＵ３４０は、前記抽出されたデータ、即ち、前記検針システム２００から収集されたデータを前記検針データベース３６０に格納して、各需要家に対する課金の算定及び過怠金の賦課を行う（Ｓ５）。ここで、前記検針システム２００から収集されたデータは、各需要家別エネルギー使用実態の把握及びエネルギー使用統計等の算出に活用される。
【００５１】
　次いで、前記ＣＰＵ３４０は、前記使用者ターミナル３５０による要求や内部プログラムの各種制御信号を収集して所定制御信号を生成し（Ｓ６）、その後、前記ＳＭＳエンコーダ３７０は、前記制御信号をＳＭＳプロトコルで定義するメッセージの構造及び形式によって構成した後、これを前記通信モジュール３１０に伝送する（Ｓ７）。その後、前記通信モジュール３１０は、前記ＳＭＳエンコーダ３７０から出力されたメッセージをＲＦ伝送し得るように加工して、移動通信網を通して前記検針システム２００に伝送する（Ｓ８）。
【００５２】
　図４（ａ）は一般のＳＭＳのテレサービス階層のメッセージを示した図、図４（ｂ）は遠隔制御システム３００から検針システム２００に受信されるＳＭＳのテレサービス階層のメッセージ（以下、‘制御メッセージ’という）を示した図、図４（ｃ）は検針システム２００から遠隔制御システム３００に受信されるＳＭＳのテレサービス階層のメッセージ（以下、‘検針メッセージ’という）を示した図で、以下、それら図４（ａ）〜（ｃ）に基づいて、前記遠隔制御システム３００及び前記検針システム２００の動作を説明する（以下の実施形態は、電気供給事業者が各需要家の遠隔地の電気計量器を検針するものと仮定する）。
【００５３】
　前記各検針メッセージは、各需要家の番号フィールド、計量器のＩＤフィールド、使用量フィールド、検針時間フィールド及び状態情報フィールドを包含して構成され、ここで、前記需要家の番号は該当する検針システムの識別番号で、前記計量器のＩＤは検針システムの複数の計量器中、電気計量器の識別子で、前記検針時間は電気計量器が検針された時間で、前記状態情報は電気計量器の故障及び漏電に関する情報を包含する。
【００５４】
　又、前記制御メッセージは、前記遠隔制御システム３００から前記検針システム２００に受信されるメッセージとして、前記遠隔制御システム３００の前記ＣＰＵ３４０が前記使用者ターミナル３５０による要求や内部プログラムの各種制御信号を収集して生成し、前記遠隔制御システム３００は、前記制御メッセージを利用して遠隔地の検針システムを制御する。
【００５５】
　且つ、前記制御メッセージは、需要家の番号フィールド、計量器のＩＤフィールド、検針時間フィールド及び遮断情報フィールドを包含して構成され、ここで、前記需要家の番号は該当する検針システム（又は、需要家）の識別番号で、前記計量器のＩＤは検針システム内の電気計量器の識別子で、前記検針時間は該当する計量器が検針されるように指定された時間で、前記遮断情報は該当する需要家に電気供給を遮断するとき使用される情報として、前記検針システム２００の前記ＳＭＳプロセッサ２７０は、前記遮断情報フィールドを参照して電気計量器の供給調節装置（図示されず）を制御する。
【００５６】
　且つ、前記制御メッセージデータは、前記ＳＭＳエンコーダ３７０により短文メッセージにエンコードされ、前記通信モジュール３１０を経由して無線通信で前記検針システムの前記通信モジュール２８０に伝送される。
【００５７】
　又、前記検針システムの前記ＳＭＳプロセッサ２７０は、前記通信モジュール２８０を通して受信された短文メッセージをデコードした後、これを第１及び第３メモリ２５０、２００に格納することで、直接コントローラ２４０内部のタイマーを設定する。このとき、前記受信されたメッセージの前記遮断情報フィールドに電気供給を遮断する指示が包含されていると、前記ＳＭＳプロセッサ２７０は、これを前記検針部２１０に伝送して該検針部２１０が電気計量器の前記供給調節装置（図示せず）を制御することで、該当需要家に供給される電気を遮断させる（Ｓ９、Ｓ１０）。
【００５８】
　又、図５は本発明に係るＳＭＳの各プロトコル階層のメッセージの相関関係を示した図で、それらＳＭＳのプロトコル階層は、ＩＳ−６３７Ａ及びＩＳ−９５の規格に従うため、本発明においてはその説明を省略する。
【図面の簡単な説明】
【００５９】
【図１】本発明に係る移動通信基盤の無線遠隔検針システムの検針システムの構成を示したブロック図である。
【図２】本発明に係る移動通信基盤の無線遠隔検針システムの遠隔制御システムの構成を示したブロック図である。
【図３】本発明に係る移動通信基盤の無線遠隔検針方法の一実施形態を示したフローチャートである。
【図４】（ａ）（ｂ）（ｃ）は、本発明に係る多様なＳＭＳのテレサービス階層のメッセージの構成を示した図で、（ａ）は一般のＳＭＳのテレサービス階層のメッセージの構成を示した図、（ｂ）は遠隔制御システムから検針システムに受信されるＳＭＳのテレサービス階層のメッセージの構成を示した図、（ｃ）は、検針システムから遠隔制御システムに受信されるＳＭＳのテレサービス階層のメッセージの構成を示した図である。
【図５】本発明に係るＳＭＳのプロトコル階層を示した説明図である。
【図６】従来の無線検針システムの構成を示したブロック図である。
【符号の説明】
【００６０】
　２１０　検針部
　２４０　コントローラ
　２７０　ＳＭＳプロセッサ
　２８０、３１０　通信モジュール
　２５０、２６０、２９０　メモリ
　３７０　ＳＭＳエンコーダ
　３４０　ＣＰＵ
　３５０　使用者ターミナル
　３６０　検針データベース
　３２０　ＳＭＳデコーダ
【図１】
2004040812.tif 000003
【図２】
2004040812.tif 000004
【図３】
2004040812.tif 000005
【図４】
2004040812.tif 000006
【図５】
2004040812.tif 000007
【図６】
2004040812.tif 000008